(57)【要約】      （修正有）【課題】トイレットペーパー保持具に触れることなく必要なトイレットペーパーを使えるように前人がトイレットペーパーを使用後にトイレットペーパーの手がかり部分を自動的に繰出すトイレットペーパー繰出し機とトイレットペーパー繰出し方法を提供する。【解決手段】トイレットペーパー保持具１００の中に収められ、トイレットペーパー保持具１００の中に収められたトイレットペーパーロール６の上部に接する回転タイヤとこれを駆動する第１モーターと、トイレットペーパーロール６の回転を感知するロール回転センサー４とからなる繰り出し部と、トイレットペーパー６を切り取る切り取り歯２１と、切り取り歯２１に付着するトイレットペーパー６を切り取り歯２１から剥がす剥離板２２と、剥離板２２を駆動する第２モーターとからなる剥離部とを備える。【選択図】図１
2020178878.tif 000002
【特許請求の範囲】
【請求項１】
トイレットペーパー保持具に水平に軸支されたトイレットペーパーロールの手がかり部分を該トイレットペーパー保持具の外へ自動的に繰り出すトイレットペーパー繰出し方法であって、
トイレットペーパーが引き出されたことを検知して所定の時間ａを測るタイマーＡ及び所定の時間ｂを測るタイマーＢがカウントを開始するステップと、
前記タイマーＢが前記所定の時間ｂの経過後に作動して前記トイレットペーパーを回転駆動する駆動源１を駆動させるとともに前記トイレットペーパーの切り取り歯への貼り付き防止動作を行う駆動源２を駆動させるステップと、
所定の時間ｃの経過後に前記駆動源２の動作を停止させる信号を発生する停止センサーの出力により前記駆動源２の動作を停止させるステップと、
前記タイマーＡが前記所定の時間ａの経過後に作動して上記の一連の動作を実現する装置への給電を停止させるステップとからなるトイレットペーパー繰出し方法。
【請求項２】
トイレットペーパー保持具に水平に軸支されたトイレットペーパーロールの手がかり部分を該トイレットペーパー保持具の外へ自動的に繰り出すトイレットペーパー繰出し機であって、
前記トイレットペーパー保持具の中に収められた前記トイレットペーパーロールの上部に接する回転タイヤとこれを駆動する第１モーターと、前記トイレットペーパーロールの回転を感知するロール回転センサーとを有する繰り出し部及び、
トイレットペーパーを切り取る切り取り歯と、該切り取り歯に付着した前記トイレットペーパーを前記切り取り歯から剥がす剥離板と、該剥離板を駆動する第２モーターとを有する剥離部とが備えられ、
前記ロール回転センサーからの信号で動作を開始し、所定の時間経過後に前記第１モーターが前記トイレットペーパーロールを回転させて前記トイレットペーパーを繰り出すとともに前記第２モーターが前記剥離板を駆動して前記トイレットペーパーを前記切り取り歯から剥離することを特徴とするトイレットペーパー繰出し機。
【請求項３】
前記繰り出し部が上下に移動可能に保持されることを特徴とする請求項２に記載のトイレットペーパー繰出し機。
【請求項４】
前記ロール回転センサーが、前記繰り出し部の中でさらに上下移動可能に保持されることを特徴とする請求項２又は３に記載のトイレットペーパー繰出し機。
【請求項５】
前記請求項２乃至４いずれか１項に記載のトイレットペーパー繰出し機を備えることを特徴とするトイレットペーパー保持具。
【発明の詳細な説明】
【技術分野】
【０００１】
本発明は、トイレットペーパーを使用後に次回の使用に備えて取り出し部分となるトイレットペーパーを繰り出すトイレットペーパー繰出し機及びトイレットペーパー繰出し方法に関する。
【背景技術】
【０００２】
トイレを使用した際に必要になるトイレットペーパーを繰り出すにはトイレットペーパー保持具やトイレットペーパーに触る必要がある。前人の触ったトイレットペーパー保持具やトイレットペーパーには前人の使用の痕跡が残っており衛生面からは前人の触ったトイレットペーパー保持具やトイレットペーパーに触れないことが望ましい。
【０００３】
そこで、トイレットペーパーを自動で繰り出すトイレットペーパー保持具が提案されている。例えば、特許文献１に開示されるトイレットペーパー保持具は、トイレットペーパーロールを上から入れて、トイレットペーパーロールの下部を２本のローラで支え、蓋に装着されたローラでトイレットペーパーロールを上から駆動して回転させてトイレットペーパーを自動的に繰り出す。
【０００４】
また、特許文献２に開示されるトイレットペーパー保持具は、装置の底面に装着された動力回転ゴム棒と蓋に装着されバネ付き回転ゴム棒でトイレットペーパーロールを挟んで繰り出す。また、特許文献３に開示されるトイレットペーパー保持具は、装置の下部に装着された４つのローラでトイレットペーパーロールを駆動するために、トイレットペーパーロールの芯に錘を入れる。
【先行技術文献】
【特許文献】
【０００５】
【特許文献１】特開２００４−２６１５０５号公報
【特許文献２】特開２００９６１２３９号公報
【特許文献３】特開２０１１−１６１１８４号公報
【発明の概要】
【発明が解決しようとする課題】
【０００６】
しかしながら、特許文献１乃至３に記載されたトイレットペーパー保持具は何れもトイレットペーパー保持具の本体にトイレットペーパーロールを回転させる駆動機構を組み込んでおり構造が複雑である。また、トイレットペーパーを繰り出すには装置を起動する電源スイッチに触れる必要があるので前人の触れた部位に触ることになり衛生面で問題が残る。
【０００７】
この発明の目的は、上述した事情に鑑みなされたもので、トイレットペーパー保持具に触れることなく必要なトイレットペーパーを使えるように前人がトイレットペーパーを使用後にトイレットペーパーの手がかり部分を自動的に繰出すトイレットペーパー繰出し機とトイレットペーパー繰出し方法を提供することである。
【課題を解決するための手段】
【０００８】
請求項１に記載のトイレットペーパー繰出し方法は、トイレットペーパー保持具に水平に軸支されたトイレットペーパーロールの手がかり部分を該トイレットペーパー保持具の外へ自動的に繰り出すトイレットペーパー繰出し方法であって、トイレットペーパーが引き出されたことを検知して所定の時間ａを測るタイマーＡ及び所定の時間ｂを測るタイマーＢがカウントを開始するステップと、前記タイマーＢが前記所定の時間ｂの経過後に作動して前記トイレットペーパーを回転駆動する駆動源１を駆動させるとともに切り取り歯への前記トイレットペーパーの貼り付き防止動作を行う駆動源２を駆動させるステップと、所定の時間ｃの経過後に前記駆動源２の動作を監視する停止センサーの出力により前記駆動源２の動作を停止させるステップと、前記タイマーＡが前記所定の時間ａの経過後に作動して上記一連の動作を実現する装置への給電を停止させるステップとからなるトイレットペーパー繰出し方法である。
【０００９】
請求項１に記載の発明は、トイレットペーパーが引き出されたことを検知して所定の時間ａを測るタイマーＡ及び所定の時間ｂを測るタイマーＢがカウントを開始するステップと、前記タイマーＢが前記所定の時間ｂの経過後に作動して前記トイレットペーパーを回転駆動する駆動源１を駆動させるとともに前記トイレットペーパーの切り取り歯への貼り付き防止動作を行う駆動源２を駆動させるステップと、所定の時間ｃの経過後に前記駆動源２の動作を監視する停止センサーの出力により前記駆動源２の動作を停止させるステップと、前記タイマーＡが前記所定の時間ａの経過後に作動して上記一連の動作を実現する装置への給電を停止させるステップとからなるトイレットペーパー繰出し方法なので、前人が触れた部分に触ることなくトイレットペーパーを使うことができる。
【００１０】
請求項２に記載のトイレットペーパー繰出し機は、トイレットペーパー保持具に水平に軸支されたトイレットペーパーロールの手がかり部分を該トイレットペーパー保持具の外へ自動的に繰り出すトイレットペーパー繰出し機であって、前記トイレットペーパー保持具の中に収められ、前記トイレットペーパー保持具の中に収められたトイレットペーパーロールの上部に接する回転タイヤとこれを駆動する第１モーターと、前記トイレットペーパーロールの回転を感知するロール回転センサーとからなる繰り出し部と、トイレットペーパーを切り取る切り取り歯と、該切り取り歯に付着する前記トイレットペーパーを前記切り取り歯から剥がす剥離板と、該剥離板を駆動する第２モーターとからなる剥離部とを備え、前記ロール回転センサーからの信号で動作を開始し、所定の時間経過後に前記第１モーターが前記トイレットペーパーロールを回転させて前記トイレットペーパーを繰り出すとともに前記第２モーターが前記剥離板を駆動して前記前記トイレットペーパーを前記切り取り歯から剥離することを特徴とする。
【００１１】
本発明のトイレットペーパー繰出し機は、トイレットペーパー繰出し機の中に収められ、前記トイレットペーパー繰出し機の中に収められたトイレットペーパーロールの上部に接する回転タイヤとこれを駆動する第１モーターと、前記トイレットペーパーロールの回転を感知するロール回転センサーとからなる繰り出し部と、トイレットペーパーを切り取る切り取り歯と、該切り取り歯に付着する前記トイレットペーパーを前記切り取り歯から剥がす剥離板と、該剥離板を駆動する第２モーターとからなる剥離部とを備え、前記ロール回転センサーからの信号で動作を開始し、所定の時間経過後に前記第１モーターが前記トイレットペーパーロールを回転させて前記トイレットペーパーを繰り出すとともに前記第２モーターが前記剥離板を駆動して前記前記トイレットペーパーを前記切り取り歯から剥離するので、使用者は自分の使うトイレットペーパー以外に触れることなくトイレットペーパーを使うことができる。
【００１２】
請求項３に記載のトイレットペーパー繰出し機は、前記繰り出し部が上下に移動可能に保持されることを特徴とする請求項１に記載のトイレットペーパー繰出し機である。
【００１３】
本発明のトイレットペーパー繰出し機は、トイレットペーパーロールの上部に接する回転タイヤとこれを駆動する第１モーターと、前記トイレットペーパーロールの回転を感知するロール回転センサーとからなる繰り出し部が上下に移動可能に保持されるのでトイレットペーパーロールの大きさに関係なく、トイレットペーパーロールを駆動することができる。
【００１４】
請求項４に記載のトイレットペーパー繰出し機は、前記ロール回転センサーが、前記繰り出し部の中でさらに上下移動可能に保持されることを特徴とする請求項２又は３に記載のトイレットペーパー繰出し機である。
【００１５】
本発明のトイレットペーパー繰出し機は、ロール回転センサーが、前記繰り出し部の中でさらに上下移動可能に保持されるので確実にトイレットペーパーロールの回転を検出することができる。
【００１６】
請求項５に記載のトイレットペーパー保持具は、繰前記請求項２乃至４いずれか１項に記載のトイレットペーパー繰出し機を備えたトイレットペーパー保持具である。
【００１７】
本発明のトイレットペーパー保持具は、繰前記請求項２乃至４いずれか１項に記載のトイレットペーパー繰出し機を備えるので、前人の使用後に自動的に繰り出されるトイレットペーパーの手がかり部分を引き出すことで前人の痕跡に触れることなくトイレットペーパーを使うことができる。
【図面の簡単な説明】
【００１８】
【図１】トイレットペーパー保持具とこれに装着されたトイレットペーパー繰出し機の外観図である。
【図２】トイレットペーパーロールを駆動する繰り出し部の説明図である。
【図３】繰り出し部の上下動の説明図である。
【図４】ロール回転センサーの説明図である。
【図５】剥離部の説明図である。
【図６】クランク式の剥離部の動作説明図である。
【図７】ギヤ式の剥離部の動作説明図である。
【図８Ａ】停止センサーの動作説明図である。
【図８Ｂ】停止センサーの動作説明図である。
【図９】動作を説明するタイムチャートである。
【図１０】タイマーＩＣによる制御回路の説明図である。
【図１１】ＣＰＵによる制御回路の説明図である。
【図１２】動作を説明するフローチャートである。
【図１３】トイレットペーパー保持具の（Ａ）蓋を開けた状態、（Ｂ）蓋を締めた状態の説明図である。
【発明を実施するための形態】
【００１９】
以下、本発明の実施形態を図面に基づいて説明する。図１に示す本発明のトイレットペーパー繰出し機は、トイレットペーパー保持具１００の中に収められている。トイレットペーパー繰出し機は、トイレットペーパーロール駆動部３とトイレットペーパーロール回転検出部４を含むとともに、切り取り歯へのトイレットペーパーの付着を防止する剥離部２３を構成要素とする。これらが、後述する一連の動作を行い、トイレットペーパーを使用後に自動的に次回の使用に備えて手がかり部分となるトイレットペーパーを繰り出す。
【００２０】
トイレットペーパーロールを駆動するトイレットペーパーロール駆動部３について図２を用いて説明する。トイレットペーパーロール６はトイレットペーパーロール回転タイヤ３２により回転駆動される。トイレットペーパーは様々な紙質があるのでトイレットペーパーロール回転タイヤ３２の材質はトイレットペーパーが使用者により引き出される際にトイレットペーパーロールの回転を妨げず、トイレットペーパーロール回転タイヤ３２によりトイレットペーパーロールを回転する際は、確実にトイレットペーパーロールを回転させる必要がある。
【００２１】
トイレットペーパーには１枚紙と重ね紙があり、紙質も柔らかなものと硬めのものがある。トイレットペーパーロールを確実に回転させるためにトイレットペーパーロール回転タイヤ３２の表面に凹凸を付けたり模様を付けてみたが、トイレットペーパーロール回転タイヤ３２の表面での摩擦が多いと使用者がトイレットペーパーを引き出す際にトイレットペーパーが破けてしまう場合が有る。
【００２２】
そこで、トイレットペーパーロール回転タイヤ３２の表面を滑らかなものとして、使用者がトイレットペーパーを引き出す際の抵抗を少なくした。そして、確実にトイレットペーパーロールをトイレットペーパーロール回転タイヤで駆動するために、トイレットペーパーロール回転タイヤ３２とこれを駆動する駆動源１となる第１モーターを支えるＡ台座３３が自由落下してトイレットペーパーロールに接するように構成した。さらに、トイレットペーパーロール回転タイヤを複数個の回転タイヤに分割することでトイレットペーパーロール回転タイヤ３２とトイレットペーパーロール６との接触を確実にした。
【００２３】
図３に示すように、トイレットペーパーロール回転タイヤ３２のＡ台座３３はアーム７４を介して回動軸７５で軸支されて、重力で自由落下して回動軸７５を中心にして回動するように構成される。径が大きいトイレットペーパーロール６Ａに対してはトイレットペーパーロール回転タイヤ３２Ａで駆動する。径が小さいトイレットペーパーロール６Ｂに対してはトイレットペーパーロール回転タイヤ３２Ｂで駆動する。トイレットペーパーロールの径の変化に応じてトイレットペーパーロール回転タイヤ３２の位置が変化するので常にトイレットペーパーロール回転タイヤ３２がトイレットペーパーロール６に接する。
【００２４】
本発明のトイレットペーパー繰出し機はトイレットペーパーの使用者がトイレットペーパーロールを回転させてトイレットペーパーを引き出すことを検出してから動作を開始する。図４にトイレットペーパーロールの回転を検知するロール回転センサーの構成を示す。トイレットペーパーロール回転検出タイヤ４１は保持板４４で軸支され、回転軸４５はＢ台座３４に接続された保持板４４に設けられた長孔４６を上下位移動可能になっている。Ｂ台座３４はＡ台座３３とともにアーム７４により回動軸７５の周りに回動可能に軸支される。トイレットペーパーロール６の回転はトイレットペーパーロール６に接しているトイレットペーパーロール回転検出タイヤ４１の回転により検出される。トイレットペーパーロール回転検出タイヤ４１は回転軸４５の周りに自由に回転する。
【００２５】
回転の検出には、磁気的、光学的、電気的など様々な方法があるが、今回は構成が簡単で確実な電気的な接点の接触による構成を採用した。図４（Ａ）に示すように、トイレットペーパーロール回転検出タイヤ４１の側面に接点Ａ（４２）とこれに接する位置に置かれる接点Ｂ（４３）がそれぞれ外部回路へ接続され接点Ａと接点Ｂの接触が感知される。
【００２６】
ここで、図４（Ｂ）に示すように、トイレットペーパーロールの回転を確実に検出するためにＢ台座３４に接続された保持板４４に長孔４６を設け回転軸４５はその長孔４６を上下方向に移動可能に構成した。これは、トイレットペーパーロールの径が幅方向で場所により変動していることへ柔軟に対応するためである。トイレットペーパーロール回転検出タイヤ４１はアーム７４により自由落下で上下動するとともに、長孔４６の範囲で上下動するのでトイレットペーパーロールへ確実に接触するようになる。
【００２７】
図５を用いてトイレットペーパーを切り取り歯２１から剥がす剥離部の説明をする。使用者がトイレットペーパーを引き出して切り取り歯２１を使って所定の長さで切り取ると残されたトイレットペーパーの繊維が切り取り歯２１に絡み合ってトイレットペーパーの先端が保持されることがある。
【００２８】
本発明のトイレットペーパー繰出し機は、使用者がトイレットペーパーを切り取り後に次の使用に備えて手がかり用になるトイレットペーパーを自動的に繰り出す。ここでトイレットペーパーの先端が切り取り歯２１に保持されているとトイレットペーパーがトイレットペーパー保持具の外へ出ていかなくなる。このような状態を避けるために剥離部を設けた。
【００２９】
剥離部はトイレットペーパーを切り取り歯２１から剥がす剥離板となるスライド板２２とこれを駆動するスライド板駆動部２３から構成される。スライド板２２は蓋２に固定されたガイド溝に沿って上下動して蓋２の先端に設けられた切り取り歯２１よりも更に下へ移動することでトイレットペーパーを切り取り歯２１から剥離してトイレットペーパーの切り取り歯２１への貼り付き防止動作を行う。
【００３０】
スライド板２２を上下に移動させる機構を説明する。図５のスライド板２２の上部に位置してクランクアーム２８に接続されるのがスライド板駆動部である。駆動源２となる第２モーター５１はクランク駆動円盤５３と後述する停止センサー円盤５２を同時に駆動する。
【００３１】
図６にクランクでスライド板を駆動する動作について説明する。蓋２の裏側に設けられる駆動源２となる第２モーター５１によりクランク駆動盤５３が回転する。クランク駆動盤５３に取り付けられたクランク駆動ピン２７がクランク駆動盤５３の回転に伴ってその位置を変化させ、その位置変化がクランクアーム２８によりスライド板２２へ伝達される。クランク駆動盤５３の回転運動が水平運動へ変換されてスライド板２３が図中の表示でスライド板ガイド２６に沿って水平方向へ往復運動する。図６（１．）が停止状態、図６（２．）がトイレットペーパーを押し出している状態である。切り取り歯２１から押し出す距離は実験により１５ｍｍ程度が好適と判断した。この距離はトイレットペーパーの切り取り歯への貼り付きを防止するのに十分な長さである。
【００３２】
図７に示す平歯車を用いたスライド板駆動部の説明をする。１．は停止状態、２．はスライド板が往復している状態を示す。蓋の裏側に設けられる駆動源２となる第２モーター５１が図７の歯車２４を回転させる。スライド板２２を右へ移動させるときは歯車２４は反時計回りに回転する。逆にスライド板２２を左へ移動させるときは歯車２４は時計回りに回転する。切り取り歯２１から押し出す距離は実験により１５ｍｍ程度が好適と判断した。
【００３３】
図８を用いてトイレットペーパー繰出し機の動作を止める信号を発生する停止センサーについて説明する。図８Ａに示す停止センサー円盤５２には、接点Ａとなる金属などの導電体が停止センサー円盤５２の外周の一部へ設けられ、これに接触する接点Ｂが用意される。図８Ａの停止状態を示す図８Ａの１．は第２モーターが停止した状態での接点Ａと接点Ｂの位置関係を示す。図８Ａの２．に示す駆動状態では、停止センサー円盤５２は矢印方向へ回転して接点Ａと接点Ｂの間の距離が増える。
【００３４】
図８Ｂの３．に停止センサー円盤５２が一回りして停止センサー円盤５２に設けられた接点Ａが外部の接点Ｂと接触する様子を示す。接点Ａと接点Ｂの接触は電気的に検出されて停止信号が発生されてトイレットペーパー繰出し機の制御に用いられる。後述する停止センサーによるトイレットペーパー繰出し機の動作停止後も停止センサー円盤５２は慣性により矢印方向へ回転して接点Ａと接点Ｂの間に距離ができる。４．は接点Ａと接点Ｂの間に距離ができた様子を示す。
【００３５】
図９に本発明に係るトイレットペーパー繰出し機の動作を説明するタイムチャートを示す。本発明に係るトイレットペーパー繰出し機は、トイレットペーパーの使用者によるトイレットペーパーの引き出し動作によるトイレットペーパーロールの回転の検出により動作を開始する。図に示すＲＯＬＬ  ＳＥＮＳＯＲの出力はトイレットペーパーロールの回転に伴い発生する。トイレットペーパー繰出し機の動作開始に用いられるのは最初のＲＯＬＬＳＥＮＳＯＲの出力で、この出力により後述する２つのタイマーがカウントを開始して所定の時間を測る。
【００３６】
一つのタイマーは約７秒のカウント後に、ＭＯＴＯＲ−１とＭＯＴＯＲ−２を駆動させてトイレットペーパーを使用後の繰り出し動作を行うきっかけを作る。剥離動作を行うＭＯＴＯＲ−２はＳＴＯＰ  ＳＥＮＳＯＲの出力によりその動作を停止する。ＭＯＴＯＲ−２の作動時間は約１秒である。
【００３７】
最初のＲＯＬＬ  ＳＥＮＳＯＲの出力でカウントを開始する２つ目のカウンターは約８秒後にトイレットペーパー繰出し機の動作部への給電を止めてトイレットペーパー繰出し機は待機状態になる。待機状態のトイレットペーパー繰出し機は、ＲＯＬＬ  ＳＥＮＳＯＲの出力で動作を再開する。
【００３８】
モーターの駆動タイミングの制御を行うにはタイマーＩＣなどのハード的な方法とＣＰＵに組み込むソフト的な方法がある。図１０を用いてタイマーＩＣを用いた構成を説明する。回路は５Ｖの直流電源で動作する。回転センサーの出力で自己保持型のリレーが動作して回路への給電を確保する。
【００３９】
回転センサーからの最初の信号によりタイマー１（ＴＭ１）とタイマー２（ＴＭ２）がカウントを開始する。ＴＭ１はトイレットペーパー繰出し機への給電の管理用で、所定の時間経過後にトイレットペーパー繰出し機への給電を停止する。ＴＭ２は第１モーターと第２モーターの駆動を制御するタイミングをカウントする。トイレットペーパーの使用は５〜６秒以内なので、７秒経過後に使用後のトイレットペーパーの繰り出しと切り取り歯への付着を防ぐ剥離部の動作を開始させる。実際の回路は図示しないリレーを用いリレーのコイルへの給電をタイマーで制御して回路を構成する。
【００４０】
図１１は、タイマーＩＣによるカウントの代わりにＣＰＵのソフトでの制御を行う場合の説明図である。制御回路にはトランジスタなどを用いる。
【００４１】
図１２でトイレットペーパー繰出し機の動作のフローチャートを示す。待機状態（Ｓ０）では、使用者によるトイレットペーパーの引き出しに伴うトイレットペーパーロールの回転を回転センサーの出力の有無で判断する（Ｓ１）。回転センサーからの信号が無い場合は待機状態を続け、信号が有った場合は次のＳ２へ進む。
【００４２】
Ｓ２では、ＴＩＭＥＲ−１とＴＩＭＥＲ−２がカウントを開始する。ＴＩＭＥＲ−１はトイレットペーパー繰出し機へ給電される時間を制御する。ＴＩＭＥＲ−１の動作開始と同時に自己保持を行うリレー１のコイルが駆動される（Ｒｙ−１ＯＮ）。そうすると、トイレットペーパー繰出し機へ給電するリレー１の接点ａ（Ｒｙ１−ａ）がＯＮとなり、ＴＩＭＥＲ−１のカウントが終了して電源が切られるまでトイレットペーパー繰出し機への給電が保持される。またトイレットペーパーの繰り出し開始の待機時間を決めるＴＩＭＥＲ−２がカウントを開始する。
【００４３】
Ｓ３では、ＴＩＭＥＲ−２のカウントで６〜７秒経過を待つ。所定の時間が経過すると次のステップＳ４へ移行する。
【００４４】
ＴＩＭＥＲ−２のカウントが終わってＯＮ状態（ＴＩＭＥＲ−２  ＯＮ）で、リレーの接点Ｒｙ２−ａと接点Ｒｙ２−ｂがＯＮとなりＭＯＴＯＲ１とＭＯＴＯＲ２が動作を開始してトイレットペーパーの繰り出し動作とトイレットペーパーの切り取り歯への付着を防止する剥離動作を行う。
【００４５】
上記の動作は１秒以上行われ（Ｓ５でＹ）、ＭＯＴＯＲ  ＳＴＯＰセンサーがＯＮ（Ｓ６でＹ）になるとリレー３への給電が停止し、接点Ｒｙ３−ａがＯＦＦとなりＭＯＴＯＲ−２が停止する（Ｓ７）。
【００４６】
Ｓ８では、ＴＩＭＥＲ１のカウントが所定の時間、例えば８秒を経過しているとリレー１のコイルへの給電を止め、接点Ｒｙ１−ａがＯＦＦとなり一連の動作を行う回路への給電が停止して待機動作（Ｓ０）へ移行する（Ｓ９）。
【００４７】
図１３は、トイレットペーパー繰出し機を備えたとトイレットペーパー保持具の外観図である。（Ａ）は蓋を閉めた状態、（Ｂ）は蓋を開けた状態である。トイレットペーパー保持具の下に、予備のトイレットペーパーを入れる箱を用意すると使い勝手が向上する。
【００４８】
上記に説明したように本願発明のトイレットペーパー繰出し機を使うことで、安価で使い勝手の良い衛生的なトイレットペーパーの使用環境を作ることができる。
【符号の説明】
【００４９】
１  外箱
２  蓋
３  トイレットペーパーロール駆動部
４  トイレットペーパーロール回転検出部
６  トイレットペーパーロール
６Ａ  大ロール径のトイレットペーパーロール
６Ｂ  小ロール径のトイレットペーパーロール
２１  切り取り歯
２２  スライド板（剥離板）
２３  スライド板駆動部
２４  駆動ギヤ
２５  平ギヤ
２６  スライド板ガイド
２７  クランク駆動ピン
２８  クランクアーム
２９  クランク被駆動ピン
３１  トイレットペーパーロール回転駆動用駆動部（第１モーター）
３２  トイレットペーパーロール回転タイヤ
４１  トイレットペーパーロール回転検出タイヤ
４１Ａ  大ロール径を駆動する回転タイヤ
４１Ｂ  小大ロール径を駆動する回転タイヤ
４２  接点Ｐ
４３  接点Ｑ
４４  保持板
４５  回転軸
４６  長孔
５１  駆動源２（第２モーター）
５２  停止センサー円盤
５３  クランク駆動盤
５４  接点Ａ
５５  接点Ｂ
７４  アーム
７５  回動軸
７６  ストッパー
１００  トイレットペーパー保持具
【図１】
2020178878.tif 000003
【図２】
2020178878.tif 000004
【図３】
2020178878.tif 000005
【図４】
2020178878.tif 000006
【図５】
2020178878.tif 000007
【図６】
2020178878.tif 000008
【図７】
2020178878.tif 000009
【図８Ａ】
2020178878.tif 000010
【図８Ｂ】
2020178878.tif 000011
【図９】
2020178878.tif 000012
【図１０】
2020178878.tif 000013
【図１１】
2020178878.tif 000014
【図１２】
2020178878.tif 000015
【図１３】
2020178878.tif 000016